(57)【特許請求の範囲】
【請求項１】
基材と、
エラストマー材製のシール部材と、
該基材または該シール部材の一方に設けられた挿入部と、
他方に設けられた受容部と、
該基材に設けられ、該基材の両面から形成した面取り部を有する孔とを備え、
該孔に挿通される棒状部が該シール部材に一体成形される際に該面取り部で強固に固着することにより該シール部材が基材に保持されることを特徴とするシール具。
【請求項２】
基材と、
エラストマー材製のシール部材と、
該基材または該シール部材の一方に設けられた挿入部と、
他方に設けられた受容部と、
該挿入部および該受容部に設けられる孔と、
該基材を貫通する固定具とを備え、
該挿入部と該受容部が嵌合し該基材を貫通する固定具が該孔に挿着され、該基材を貫通する固定具により該シール部材が基材に挟持されることを特徴とするシール具。
【請求項３】
基材と、
エラストマー材製のシール部材と、
該基材または該シール部材の一方に設けられた挿入部と、
他方に設けられた受容部と、
該基材に設けられる突起部と、
該シール部材に設けられる孔であって、該孔はその断面がシール部材の外側に向かって拡大する楔形状である孔とからなり、
該挿入部と該受容部が嵌合し該突起部が該孔に挿通され、該突起部の頂上部がかしめられることにより、かしめられて潰れた該突起が該孔の楔形状の空間を埋めることによって、該シール部材が基材に挟持されることを特徴とするシール具。
【発明の詳細な説明】
【０００１】
【発明の属する技術分野】
本発明は、摺動体を有する装置の密閉技術に関わるものであって、たとえば、直線運動等を案内する直線型案内装置に使用される装置等のシール具に関する。
本発明が用いられる一般の摺動装置は、図１に示されるように、レール部上を移動するためにボール（不図示）をもつ摺動体１と、その摺動体内のボールを摺動体端部にて方向転換するために本体部の両側に取り付けられるエンドキャップ２とから構成される。本発明はここにおいて、当該装置のエンドキャップの外側に取り付けられるシール具３に関する。シール具３とエンドキャップ２は、通常、図１に示すように固定具によって本体部に取り付けられる。
【０００２】
シール具３は、図１に示すように、「コ」字形状の基材（不図示）全体にシール部材５を焼き付け又は一体成形したものである。通常、シール部材５の内形状はレールの断面形状とほぼ同じ形状になっていて、レールと摺動体１との間の間隙を無くすことによってシール効果を発揮させている。
【０００３】
【従来の技術】
シール部材５には、従来、ニトリルゴム，ウレタンゴム，またはフッ素ゴム等で代表されるゴム材料が用いられていた。これらの材料が採用されたのは、成形が容易であることと、弾性力が高いので摺動体の摩擦力の増加に影響を与えないからである。シール部材５が高い弾性力を有する限り、摺動体の動きに対応して、シール部材５が変形するので、前記のように摺動体断面形状より小さい内形状を有していても摺動体の動作には影響せず性能の劣化には繋がらない。
【０００４】
また、当該材料は安価で耐油性も高く、取り扱いが容易であった。シール部材として、基材に取り付ける際も、成型時またはその後に、容易に入手可能な接着剤を利用することができる。
【０００５】
【発明が解決しようとする課題】
従来の技術を用いた装置が、粉末状の異物（セラミック粉、木工粉、，鋳物粉、スパッタ粉）が発生する環境下で用いられると、摺動体の、たとえばレール上に塗布されている潤滑剤の潤滑成分が異物によって吸収され乾燥状態となる。これにより、以下の問題が生じる可能性があった。
【０００６】
（１）シール部材が前記のゴム材料の場合では、シール部材と摺動体間の摩擦が大きくなってシール部材の磨耗が急激に進行し、シール部材が局部的に破断する。
（２）シール部材が破断すれば、防塵効果を喪失し、摺動体内に雰囲気中の異物が侵入し、その他の箇所の磨耗を生じ、装置全体の剛性や寿命に影響を生じる。
【０００７】
この課題に対して、ゴム材に代えてエラストマー材をシール部材として利用できれば有利である。エラストマー材が自己潤滑性を有しており、また高い耐磨耗性をも有しているからである。しかし、エラストマー材をシール部材として適用するには、以下の適用上の問題があった。
【０００８】
（３）エラストマー材を基材に取り付ける接着剤は弾性接着剤等の特別な接着剤が必要であり、また製造工程も複雑になった。また、接着による固定では耐久性が低く、基材から剥がれやすい欠点を有していた。
【０００９】
【課題を解決するための手段】
本発明は、シール具のシール部材として、自己潤滑性を有し、また高い耐磨耗性を有するエラストマー材を採用するとともに、エラストマー材の固定において生じていた前記の問題を解消するべく、以下に説明する取り付け手段を同時に施すことで、前記問題を解決し、安価で高性能の防塵シール具を提供する。
【００１０】
【実施例】
実施例１について図２、図３および図４を参照して説明する。図２に示すように、本発明のシール具１０は、基材１１およびシール部材１２を構成品とする。図３は、図２のＡＡ矢視断面部拡大図である。ここに示すように、シール部材１２には、受容部２０が設けられている。なお、受容部は図４に示すように基材１１側に受容部３０のように設けられてもよい。一方、受容部に挿入される側は、必ずしも特別な形状に加工される必要はなく、単に受容部に挿入できれば、
素材形状のままでよい。以下各実施例内で、挿入部とは、挿入の為に必要となる特別な形状に加工された部位のみならず、加工せず部材端部をそのままの形状で受容部に嵌入することも含むものとする。具体的にこの明細書中に記載する「挿入部」とは、挿入するための加工処置を施していない「基材」または「シール部材」をも含む。
【００１１】
基材１１には、図２および図３に示すように、基材内側の縁に沿って孔１３が配置される。なお、孔１３は図２に示すような円であっても、または長孔でも良い。また、基材の材料には、金属又は熱可塑性もしくは熱硬化性プラスチックが想定できる。
【００１２】
ここで図３に示すように、シール部材を成形する際に、孔１３にもシール部材が回り込むようにに一体成形されると、受容部２０の両側を接合する棒状部１４が形成される。成形完成と同時に棒状部は孔１３にすでに挿着されており、シール部材１２が基材１１に固定される。また、受容部が設けられる部材が逆になった例を図４に示している。受容部３０は基材１１側に設けられ、シール部材１２が受容部３０に挿入され、シール部材が両側の孔に回り込むように一体成形され、図３の場合と同じように、棒状部１４が形成される。成形完成と同時に棒状部が孔１３に挿着されシール部材１２が基材１１に固定される。
【００１３】
図５から図７は図３に示した実施例１におけるその他の態様の例である。図５に示すようにシール部の外面が基材の外側にあってもよい。また基材の厚さをシール部材の厚さだけ減少させることによって、図６のようにシール具の外面の片側が基材の外面の片側と同一面を、また図７のようにシール部の表裏面が基材表裏面と同一面を形成しても良い。
【００１４】
本実施例では基材１１に設けた孔１３には基材１１の両面から面取部が形成されており、シール部材１２を基材に一体成形する際により強固に固着できる効果がある。また、図５から７では孔１３に面取りが施されているが、面取りがなくても強固に固着することが出来る。
【００１５】
実施例２は、図８から図１３に示されている。実施例１と同じく、実施例２においても、基材またはシール部材の一方に挿入部がまた他方に受容部とが設けられている点で共通し、基材を貫通する固定具によりシール部材が挟持される点が異なる。
【００１６】
具体的には、図８から図１１の場合にシール部材３６側に受容部４０が設けられ、または図１２または１３では基材３５側に受容部３９が設けられる。ここで、前者の場合には基材３５がシール部材３６の受容部４０に、後者の場合にはシール部材３６が基材３５の受容部３９にそれぞれ挿入される。
【００１７】
上記の通り固定には、固定具４３、たとえばボルト４１またはリベット４２等が利用される。この固定具４３が、孔３７に挿通され固定されることによりシート部材が保持される。図１２は、固定具としてボルト４１が利用された場合である。この場合では、螺子３８が基材３５に施されて固定具４１（ボルト）が螺着される。また図１３は、固定具としてリベット４２が用いられた例である。この場合は孔３７にリベット４２が挿通され両側がかしめられることによりシール部材３６が基材３５に保持される。
【００１８】
この実施例２においても、実施例１の図５から図７に示す態様の例と同じく、図９から図１１に示す実施形態が考えられ得る。
【００１９】
実施例３は、図１４および図１５に示されている。実施例３では、基材４５が突起４８を、シール部４６がシール部穴４７を有する。また、受容部５０はシール部４６に設けられており、この受容部５０に基材４５が挿入されると、シール部穴４７が突起４８にはまりこむようになっている（図１４上）。この状態で、突起４８の頂上部をかしめて潰すと、突起４９のようにかしめの効果でシート部の両側が挟持される（図１４下）。この実施例３の別の実施形態としては、図１５のように、シート部の穴の断面形状を外側に向かって拡大する楔形状としておき（図１５上）、その後突起の先端をかしめて潰した突起頭がその楔形状断面の空間を埋めると同時にシート部の面と一致して、シートを挟持（図１５下）する実施形態である。
【００２０】
上記に示してきた実施例により、エラストマー材を基材上に確実に固定することができるので、エラストマー材をシール部材として選択することができる。エラストマー材を使用することにより、酸化防止剤，受酸剤，カーボン等の帯電防止剤，シリカまたはアルミナ等の充填剤，金属酸化物，着色剤，および難燃物を加えることができる。
【００２１】
また、本発明は実施例において、直線案内装置用のサイドシールを例としたが、同一の構成とする限り、その他のシール、たとえば、同じく直線案内装置についていえば、図１のアンダーシール９においても用いることができる。
【００２２】
【発明の効果】
本発明は以上説明した様な形態で実施され、以下に記載される効果を奏する。
【００２３】
シール具基材にエラストマー材を、接着ではなく、一体成形または固定具による物理的固定を施すことで、長期において剥離を生じずに、確実な固定を施しうる。
【００２４】
この確実な固定手段の実現により、エラストマー材をシール部材として選択できる。これにより、従来のゴム材料に比較して、シール部材の潤滑性および耐磨耗性が向上し、耐久性の向上と、ひいては長期の防塵性の保証ができるので初期性能の長期維持が可能となる。
【図面の簡単な説明】
【図１】本発明が適用できる代表例の直線型案内装置の本体部分解図である。
【図２】本発明のシール具を正面から見た図である。
【図３】図２を方向Ａから見た図で、実施例１の実施態様の第１例の断面図である。
【図４】実施例１の実施態様の第２例の断面図である。
【図５】実施例１の実施態様の第３例の断面図である。
【図６】実施例１の実施態様の第４例の断面図である。
【図７】実施例１の実施態様の第５例の断面図である。
【図８】実施例２の実施態様の第１例の断面図である。
【図９】実施例２の実施態様の第２例の断面図である。
【図１０】実施例２の実施態様の第３例の断面図である。
【図１１】実施例２の実施態様の第４例の断面図である。
【図１２】実施例２の実施態様の第５例の断面図である。
【図１３】実施例２の実施態様の第６例の断面図である。
【図１４】実施例３の実施態様の第１例の断面図である。
【図１５】実施例３の実施態様の第２例の断面図である。
【符号の説明】
１  摺動体
２  エンドキャップ
３、１０  シール具
４、１１、３５、４５  基材
５、１２、３６、４６  シール部材
７  シール部材内形状
９  アンダーシール
１３、３７  孔
１４  棒状部
２０、３０、４０、３９、５０  受容部
３８  螺子
４１  固定具（ボルト）
４２  固定具（リベット）
４３  固定具
４７  シール部穴
４８  突起（かしめ前）
４９  突起（かしめ後）
【図１】
0003897077.tif 000002
【図２】
0003897077.tif 000003
【図３】
0003897077.tif 000004
【図４】
0003897077.tif 000005
【図５】
0003897077.tif 000006
【図６】
0003897077.tif 000007
【図７】
0003897077.tif 000008
【図８】
0003897077.tif 000009
【図９】
0003897077.tif 000010
【図１０】
0003897077.tif 000011
【図１１】
0003897077.tif 000012
【図１２】
0003897077.tif 000013
【図１３】
0003897077.tif 000014
【図１４】
0003897077.tif 000015
【図１５】
0003897077.tif 000016